(57)【要約】【課題】保管、運搬の際のスペースをコンパクト化でき、組立作業も容易なパチスロ機用キャビネットを提供する。【解決手段】前面に開口部を有する箱状の筐体を備えた遊技機であって、前記筐体は、底板、天板、背板、及び互いに対面する一対の側板を有し、前記底板、前記背板、及び前記天板は、略中央で分割し蝶番にて接合すると共に、前記側板にも前記底板、前記背板、及び前記天板を蝶番にて接合し、前記底板及び前記天板は前記蝶番によって当該筐体の内側に折りたたまれ、前記背板が当該筐体の外側に折りたたまれ、これにより、前記筐体全体が略平面的に折りたたまれる。【選択図】図１
2014018634.tif 000002
【特許請求の範囲】
【請求項１】
前面に開口部を有する箱状の筐体を備えた遊技機であって、前記筐体は、底板、天板、背板、及び互いに対面する一対の側板を有し、前記底板、前記背板、及び前記天板は、略中央で分割し蝶番にて接合すると共に、前記側板にも前記底板、前記背板、及び前記天板を蝶番にて接合し、前記底板及び前記天板は前記蝶番によって当該筐体の内側に折りたたまれ、前記背板が当該筐体の外側に折りたたまれることを特徴とする筐体の構造。
【請求項２】
前記背板は、前記側板と前記天板と前記底板によって折りたたまれた状態の厚み方向の長さと同じ長さになるように折りたたむことができるヒンジ構造を有し、前記側板と前記背板とが略平面になることを特徴とする請求項１に記載の遊技機。
【請求項３】
前記側板と前記背板を接合する前記蝶番および前記背板を略中央で分割している前記ヒンジは、前記側板と前記背板からなる略平面から前記蝶番の一部が突出しない構造を備えていることを特徴とする請求項１または請求項２に記載の遊技機。
【発明の詳細な説明】
【技術分野】
【０００１】本発明は、遊技機用筐体に関し、更に詳しくは、折り畳み構造を有し、フラットな平板状態で保管、運搬の際のスペースを最小化でき、かつ、容易な組立作業を提供する遊技機用筐体に関する。
【背景技術】
【０００２】パチンコ型スロットマシン（以下、パチスロ機という）等の遊技機は、一般に、前面が開口した箱形の本体部と、その本体部の前面開口部の一側方に回動自在に取り付けられた前扉とから構成され、本体部の内部空間には、複数のリールを備えたリール装置やパチスロ機を電気的に制御するための制御装置、多数枚数のメダルを収容するホッパー等のメダル払出装置などの遊技機装置が格納されている。【０００３】一般的にパチスロ機用の筐体は、前面を開口とした箱形とされ、背板と、この背板の左右側端部に背板の面と直交する方向に向けてそれぞれ連結した左右側板と、左右側板と背板で形成された空間の上部開口を閉鎖した天板と、左右側板と背板で形成された空間の下部開口を閉鎖した底板とで構成されている。【０００４】このような筐体では、背板、左右側板、天板および底板はそれぞれ、木工用ボンド等の接着材等によって互いに固着されているものが多く、組み立ての際にそれぞれの板の連結部分を接着剤で固着させる必要がある。接着剤が固まるまで仮止めする必要もあり、組み立て作業に際して手間がかかるとともに、接着剤塗布用の装置やタッカーによる仮止めなどの煩雑な作業となっていた。【０００５】また、従来のパチスロ機用筐体の組み立てには、多くの作業工程が必要であり、また、専用の設備等も必要である。一般的には、筐体を専門の工場で組み立てて、完成させた後で保管・運搬されるケースが多い。このため、保管するために大きな占有スペースが必要となり、また、トラックや船舶等により運搬する際にも一度に多くの筐体を積載することが難しく非効率的であった。結果的に保管および運搬に係る費用がコストを引き上げてしまう大きな要因となっていた。【０００６】完成した状態の筐体は、変動表示装置及び制御手段が収容されていない状態でも、保管および運搬に係る占有スペースが小さくなることはない。このため、保管容積を削減できる筐体の開発が望まれている。特許文献１によれば、側板と天板及び底板とを蝶番によって接合し、筐体を筐体本体と背板と中板とに分解し、筐体本体を方形状の四角枠の状態から平行四辺形状の押し潰した状態にして保管できる筐体が提案されている。また、特許文献２によれば、筐体の左右側板、天板および底板を筐体内部に折りたたむ構造により、筐体を分割することなく保管スペースを削減できる筐体が考案されている。
【特許文献１】特許公開２００７−３１３２３７
【特許文献２】登録実用新案第３１４５４１５号
【発明の開示】
【発明が解決しようとする課題】
【０００７】しかしながら、上記特許文献のような筐体では、効率よく省スペース化ができる反面、筐体を組み立てる際に筐体が複数のユニットに分割していたり、一体型であっても折りたたんだ筐体を展開するために複雑な工程が必要であったりと、筐体の組み立て作業を繁雑なものにしていた。【０００８】さらに、折りたたんだ状態の筐体を生産ライン上で展開する際に、折りたたんだ状態の筐体を複数台カセット等の容器にまとめて収納しておき、前記カセットから生産ラインに自動供給する方法がより効率的である。上記特許文献のような筐体では、折りたたんだ状態の筐体をカセットに出し入れする際に引っ掛かりやすい形状であり、効率良く前記カセットに出し入れできる構造を有する折りたたみ式の筐体が望まれている。【０００９】本発明の目的は、前記カセット等の収納容器からの自動供給をも踏まえた筐体の折りたたみ構造により、筐体の保管スペースを削減するとともに、筐体を容易に組み立てることができる遊技機を提供することである。
【課題を解決するための手段】
【００１０】本考案のパチスロ機用筐体は、前面に開口部を有する箱状の筐体を備えた遊技機であって、前記筐体は、底板、天板、背板、及び互いに対面する一対の側板を有し、前記底板、前記背板、及び前記天板は、略中央で分割し蝶番にて接合すると共に、前記側板にも前記底板、前記背板、及び前記天板を蝶番にて接合し、前記底板及び前記天板は前記蝶番によって当該筐体の内側に折りたたまれ、前記背板が当該筐体の外側に折りたたまれる構造を特徴としている。【００１１】前記背板は、前記側板と前記天板と前記底板によって折りたたまれた状態の厚み方向の長さと同じ長さになるように折りたたむことができる蝶番構造を有し、前記側板と前記背板とが略平面になることを特徴としている。【００１２】前記側板と前記背板を接合する前記蝶番および前記背板を略中央で分割している前記蝶番は、前記側板と前記背板からなる略平面から前記蝶番の一部が突出しない構造を備えていることを特徴としている。
【発明の効果】
【００１３】本発明によれば、天板、底板、及び天板を側板に略直交する方向から側板に略水平になる方向に回動し、かつ、前記底板、前記背板および前記天板を略中央で分割することで、前記筐体全体を略平面的に折りたたむことができる。これにより、前記筐体を折りたたんでから保管することで、効率的に筐体の保管スペースを削減できる。また、折りたたんだ状態の前記筐体は、カセット等の収納容器を用いる際にもスムーズに出し入れができる。
折りたたんだ状態の前記筐体を組み立てるときは、前記側板を側板に対し略垂直になる方向に展開し、前記底板の側縁部と前記背板の側縁部とを嵌合し、前記天板の側縁部と前記背板の側縁部とを嵌合するだけで、前記底板、前記天板および前記背板を固定できるので、筐体を容易に組み立てることができる。
【図面の簡単な説明】
【００１４】
【図１】本考案の実施例に関わるパチスロ機用筐体を示す斜視図である。
【図２】折りたたみ構造を説明するための斜視図である。
【図３】折りたたんだ状態の筐体を示す斜視図である。
【図４】カセットに収納された筐体を自動的に生産ラインに供給する場合の実施例を示す概要図である。
【図５】背板分割部のヒンジ構造を示す斜視図である。
【図６】側板と背板のヒンジ構造を示す斜視図である。
【図７】側板と天板、または、側板と底板のヒンジ構造を示す斜視図である。
【図８】天板、または、底板の分割部のヒンジ構造を示す斜視図である。
【発明を実施するための形態】
【００１５】以下、本考案のパチスロ機用筐体の実施例について図面を参照して説明する。なお、本願の図面において、同一の参照符号は、同一部分または相当部分を表わすものとする。
【実施例】
【００１６】図１は、本発明の実施例に係る筐体１の構成を示す斜視図である。本実施例のパチスロ機用筐体１は、従来のパチスロ機と同様に、背板４、左右側板５ａ及び５ｂ、天板２及び底板３の板材で構成されている。側板５ａ及び５ｂは、それぞれ、上方へ行くにつれて幅寸法を徐々に小さくすることで側面形状が略台形状になるようにしている。左右側板５ａ及び５ｂには、それぞれの側板に略直行する方向に向けて、略長方形状の背板４、天板２、底板３が連結されている。前記左右側板５ａ及び５ｂと前記背板４で形成された空間の上部開口は天板２で閉鎖されており、また、前記左右側板５ａ及び５ｂと背板４で形成された空間の下部開口は底板３で閉鎖されている。これにより、本実施例のパチスロ機用筐体１は、前面を開口とした箱形の形状となっている。【００１７】図２を参照して、筐体１の折たたみ構造について説明する。
図２は、本考案の実施例に関わるパチスロ機用筐体の折りたたみ構造を説明するための斜視図である。【００１８】前記天板２と前記左右側板５ａ及び５ｂとの関係を説明すると、本実施例においては、前記天板２を前記左右側板５ａ及び５ｂに対して略直交する方向から側板５ａ及び５ｂに略水平になる方向に回動可能とする回動部としての２つのヒンジ（蝶番）を介して接続されている。前記天板２と前記左右側板５ａ及び５ｂを接続するヒンジの構造を図７に示す。２枚の板は一本の樹脂製あるいは鋼鉄等の金属製のシャフト９を軸として回動し、展開時および折りたたみ時に板の表面からヒンジの一部が突出しない特徴を有している。これは、筐体１を折りたたんだ状態での省スペースを図っているだけでなく、保管または運搬時にヒンジの突起部によって傷などの破損を防止する効果もある。
さらに、前記天板２は、左右天板２ａ及び２ｂで構成され、前記天板２を略中央で折り曲げるための回動するヒンジを介して接続されている。この構造により、前記天板２は、折りたたみの際に略中央から下方（Ｍ３方向）に突出するように折り曲げることができる。前記天板２の折り曲げに用いる前記ヒンジ８の構造を図８に示す。このヒンジ８についても、展開時および折りたたみ時に前記筐体１の外面（前記側板と前記背板とで構成される略平面）からヒンジの一部が突出しない特徴を有している。【００１９】前記底板３と前記左右側板５ａ及び５ｂとの関係を説明すると、本実施例においては、前記天板２を前記左右側板５ａ及び５ｂに対して略直交する方向から前記左右側板５ａ及び５ｂに略水平になる方向に回動可能とする回動部としての２つのヒンジ（図７参照）を介して接続されている。
さらに、前記底板３は、左右底板３ａ及び３ｂで構成され、前記底板３を略中央で折り曲げるための回動するヒンジ（図８参照）を介して接続されている。この構造により、前記底板３は、折りたたみの際に略中央から上方（Ｍ４方向）に突出するように折り曲げることができる。
これらを接続するそれぞれのヒンジ構造については、上下の向きが逆である以外は、前記天板２と前記左右側板５ａ及び５ｂとの関係とほぼ同様であるため重複した説明は省略する。【００２０】前記背板４と前記左右側板５ａ及び５ｂとの関係を説明すると、本実施例においては、前記背板４を前記左右側板５ａ及び５ｂに対して略直交する方向から前記左右側板５ａ及び５ｂに略垂直になる方向に回動可能とする回動部としてのヒンジを介して接続されている。前記背板４と前記左右側板５ａ及び５ｂを接続するヒンジの構造を図６に示す。
さらに、前記背板４は、左右背板４ａ及び４ｂで構成され、前記背板４を略中央で上面から見てコの字型に折り曲げるための回動するヒンジ４ｃを介して接続されている。前記背板４のヒンジ部を折り曲げた状態を図５に示す。この構造により、前記背板４は、折りたたみの際に略中央から後方（Ｍ５方向）に突出するように折り曲げることができる。【００２１】本実施例においては、前記天板２、前記底板３および前記背板４を軽く折り曲げた後に、前記左右背板４ａ及び４ｂをそれぞれＭ１およびＭ２の方向に圧縮するだけで簡単に筐体１を折りたたむことが可能である。折りたたんだ状態の筐体１の形状を図３に示す。【００２２】折りたたんだ状態の筐体１は、側板５ａと背板４ａ、または、側板５ｂと背板４ｂとで構成される外面が略平面になっている。本実施例においては、前記側板４ａ及び４ｂで分割した前記天板２および前記底板３を挟んだ厚み方向の長さと、前記背板４を折り曲げた状態の厚み方向を略同一の長さにしている。なお、前記背板４をコの字型に折り曲げた状態では、使用している板材約２枚分の厚さの余分なスペースが内部に生じるが、この空間には、前記背板４と、前記天板２および前記底板３とを嵌合するための金具等を取り付けるための空間として活用できる。【００２３】本発明によると、折りたたんだ状態の筐体１の体積は、使用する板厚さにもよるが、折りたたむことができない従来の筐体の筐体と比較して、占有空間を概ね３分の１まで削減することが可能となる。【００２４】次に、図４を用いて、前記筐体１を組み立てる手順について説明する。
パチスロ機は、生産ライン上で生産される場合がほとんどであり、あらかじめカセット等の収納容器に折りたたんだ状態の筐体１をある程度の台数をまとめて収納し、筐体１を平置きの状態でベルトコンベア等の移動装置を用いて生産ラインに自動供給するのが好ましい。図４は、カセット６に収納された筐体を自動的に生産ラインに供給する（Ｍ６）場合の実施例を示す概要図である。本発明によると、折りたたんだ状態の筐体１は、外面に自動供給を困難にするような突起等はなく、ほぼ１枚の板のように扱うことができる。このため、カセット６への出し入れ作業の自動化も簡素化できる。
平置きの状態で折りたたまれた前記筐体１を組み立てる際には、上側の側板を上方（Ｍ７）に引き上げるだけで簡単に完成形に近い状態にすることができる。最後に前記背板４と、前記天板２および前記底板３とを固定金具やネジ等により嵌合することで、容易に組み立てることができる。
【産業上の利用可能性】
【００２５】本発明は、スロットマシン、パチンコ機等に代表される遊技台に適用することが可能である。
【符号の説明】
【００２６】１  パチスロ用筐体、
２  天版、２ａ  天板左部、２ｂ  天板右部、
３  底板、３ａ  底板左部、３ｂ  底板右部、
４  背板、４ａ  背板左部、４ｂ  背板右部、４ｃ  背板用ヒンジ、
５ａ  側板（左）、５ｂ  側板（右）、
６  筐体収納カセット、
７  ベルトコンベア、
８  天板及び底板分割用ヒンジ、
９  ヒンジ用シャフト、
Ｍ１  折りたたみ時の左側板の移動方向、
Ｍ２  折りたたみ時の右側板の移動方向、
Ｍ３  折りたたみ時の天板の変形方向、
Ｍ４  折りたたみ時の底板の変形方向、
Ｍ５  折りたたみ時の背板の変形方向、
Ｍ６  カセットから筐体を生産ラインに供給する方向、
Ｍ７  筐体を自動展開するための引っ張り方向、
Ｍ８  生産ラインの流れる方向。
【図１】
2014018634.tif 000003
【図２】
2014018634.tif 000004
【図３】
2014018634.tif 000005
【図４】
2014018634.tif 000006
【図５】
2014018634.tif 000007
【図６】
2014018634.tif 000008
【図７】
2014018634.tif 000009
【図８】
2014018634.tif 000010